(57)【要約】【課題】使用者の体格や部位に対応して押圧部の高さを微調整して効果的に指圧できるとともに、体重をかけても壊れにくく長期的に利用できる指圧器を提供する。【解決手段】基台１２と、上端に押圧部１４を有し該押圧部１４を基台１２に対して上下方向に位置調整可能とする押圧手段１６と、を備え、押圧手段１６は、上端に押圧部１４を有したボルト２６を含む押圧部材２２と、基台１２に設けられた穴１８に固定されて押圧部材２２を上下移動可能としながら支持する支持部材２４と、を含み、支持部材２４は、内側に押圧部材２２のボルト２６に螺合するネジ溝が設けられ基台１２の穴１８に嵌着固定される筒状部３０と、筒状部３０の外面から一体的に略半径方向に突設され基台１２の穴壁に食い込み状に係止されて筒状部３０を安定的に固定させる安定突起部（３２）と、を有する指圧器１０から構成される。【選択図】図１
0003140761.tif 000002
【実用新案登録請求の範囲】
【請求項１】
基台と、
上端に押圧部を有し該押圧部を基台に対して上下方向に位置調整可能とする押圧手段と、を備え、
押圧手段は、上端に押圧部を有したボルトを含む押圧部材と、
基台に設けられた穴に嵌着固定されて押圧部材を上下移動可能としながら支持する支持部材と、を含み、
支持部材は、内側に押圧部材のボルトに螺合するネジ溝が設けられ、基台の穴に嵌着される筒状部と、
筒状部の外面から一体的に略半径方向に突設され、基台の穴壁に食い込み状に係止されて筒状部を安定的に固定させる安定突起部と、を有することを特徴とする指圧器。
【請求項２】
安定突起部は、支持部材を基台の穴にねじ込み固定させるように筒状部の外周面に突設された螺旋状突起からなる請求項１記載の指圧器。
【請求項３】
押圧部は、ボルトの上端に固定された大径の第１押圧部と、該第１押圧部から上方に突設された小径の第２押圧部と、を含む２段構造からなる請求項１又は２記載の指圧器。
【請求項４】
第２押圧部は、磁石からなる請求項３記載の指圧器。
【考案の詳細な説明】
【技術分野】
【０００１】
本考案は、使用者の身体にあてて指圧効果を図る指圧器に関する。
【背景技術】
【０００２】
従来、例えば、基台から同一高さ又は異なる高さで突設された複数の指圧部を身体にあてて指圧効果を図る指圧器が用いられている。しかし、従来の指圧器では、指圧部の高さが固定的に設定されているので、使用者の体格や指圧部位によっては最適な指圧効果は得られない問題があった。これに対し、例えば、特許文献１には、指圧部の高さを変更することができる指圧器が提案されている。特許文献１の指圧器は、フランジ状の掛止片の上下方向に互いに高さの異なる指圧部を設けた指圧棒と、指圧棒の上部が上面上方に突出する指圧棒挿入孔を凹設した基台と、より構成されている。
【０００３】
【特許文献１】実用新案登録第３０８２１１４号公報
【考案の開示】
【考案が解決しようとする課題】
【０００４】
しかしながら、特許文献１の指圧器では、使用時に体重がかかる指圧棒の基台への支持構造が指圧棒に設けられたフランジ状の掛止片で支持させるものであるから、強度が低く、大きな荷重に耐え切れずに比較的短期間で壊れるおそれがあった。また、指圧棒が基台に対して着脱させるために指圧棒の径が挿入孔に対して緩くかつ固定もされていないので指圧棒がぐらつきやすく、違和感を感じたり、適正な指圧を行えない場合があった。また、特許文献１の指圧器では、指圧部を高低２つの高さしか調整できないので、使用者の体格や指圧部位に対応した位置へ微調整できず指圧効果を良好に得ることができない問題は依然として解消できなかった。
【０００５】
本考案は、上記従来の課題に鑑みてなされたものであり、その一つの目的は、使用者の体格や部位に対応して押圧部の高さを微調整して効果的に指圧できるとともに、押圧部の支持構成の強度が高く体重をかけても安定的でかつ壊れにくい指圧器を提供することにある。
【課題を解決するための手段】
【０００６】
上記課題を解決するために本考案は、基台１２と、上端に押圧部１４を有し該押圧部１４を基台１２に対して上下方向に位置調整可能とする押圧手段１６と、を備え、押圧手段１６は、上端に押圧部１４を有したボルト２６を含む押圧部材２２と、基台１２に設けられた穴１８に嵌着固定されて押圧部材２２を上下移動可能としながら支持する支持部材２４と、を含み、支持部材２４は、内側に押圧部材２２のボルト２６に螺合するネジ溝２８が設けられ、基台１２の穴１８に嵌着固定される筒状部３０と、筒状部３０の外面から一体的に略半径方向に突設され、基台１２の穴壁に食い込み状に係止されて筒状部３０を安定的に固定させる安定突起部（３２）と、を有することを特徴とする指圧器１０から構成される。基台１２の形状は、例えば、平面視円形、矩形状、五角形以上の多角形等の板材又はブロック材等、その他任意のものでもよく、押圧部材２２の上下方向の移動ストロークを確保するためにある程度厚み（高さ）ある形状が好適である。押圧部材２２のボルト２６やそれを支持する支持部材２４は、強度を考慮して金属製にすると良い。押圧部１４は、一個のみでもよく、２個以上の複数個を縦横に所定の間隔で整列させて、またはランダムに並べて設置してもよい。押圧部１４の形状は、例えば、球状、半球状、楕円球状、その他角がない形状等任意の形状でよい。押圧部１４は、木や金属のように比較的硬い素材や、永久磁石等の磁力を有する素材、ゴムのようにある程度弾性のある素材等任意でもよい。安定突起部は、例えば、複数のとげやスタッド状の突起でもよく、螺旋状突起でもよい。
【０００７】
また、安定突起部は、支持部材２４を基台１２の穴１８にねじ込み固定させるように筒状部の外周面に突設された螺旋状突起３２からなることとしてもよい。螺旋状突起３２は、連続的に設けられていても良く、間欠的に設けられていても良い。
【０００８】
また、押圧部１４は、ボルトの上端に固定された大径の第１押圧部３６と、該第１押圧部３６から上方に突設された小径の第２押圧部３８と、を含む２段構造からなることとしてもよい。第２押圧部３８の突設高さは例えば、押圧部を身体の部位に当てた際に第１、第２押圧部が該身体部位に同時に接触できる程度のわずかな高さで設定されるとよい。
【０００９】
また、第２押圧部３８は、磁石からなることとしてもよい。なお、第１押圧部３６も磁石で構成してもよい。
【考案の効果】
【００１０】
本考案の指圧器によれば、基台と、上端に押圧部を有し該押圧部を基台に対して上下方向に位置調整可能とする押圧手段と、を備え、押圧手段は、上端に押圧部を有したボルトを含む押圧部材と、基台に設けられた穴に嵌着固定されて押圧部材を上下移動可能としながら支持する支持部材と、を含み、支持部材は、内側に押圧部材のボルトに螺合するネジ溝が設けられ、基台の穴に嵌着される筒状部と、筒状部の外面から一体的に略半径方向に突設され、基台の穴壁に食い込み状に係止されて筒状部を安定的に固定させる安定突起部と、を有することから、押圧部材を支持する支持部材が安定突起部により基台に対して安定的かつ強固に固定されるので、押圧部材に大きな荷重がかかったりボルト軸と交差方向に荷重がかかる場合でも、押圧部材がぐらついたり、破損したりしにくい強固な構造を実現できる。すなわち、押圧部の高さを変更できる構成であっても強度の高い支持構成を実現でき、壊れにくく長期的に繰返し使用できる。さらに、押圧部材のボルトと支持部材のネジ溝との螺合連結により、使用者の体格や指圧部位、或いは押圧力の強弱に対応して、押圧部の基台からの高さを微調整しながら良好な指圧効果を得ることができ、実用性が高い。
【００１１】
また、安定突起部は、支持部材を基台の穴にねじ込み固定させるように筒状部の外周面に突設された螺旋状突起からなる構成とすることにより、螺旋状突起により支持部材をねじ込み操作により簡単に基台の穴に固定できるとともに、強固支持部材を基台の穴に固定できる。
【００１２】
また、押圧部は、ボルトの上端に固定された大径の第１押圧部と、該第１押圧部から上方に突設された小径の第２押圧部と、を含む２段構造からなる構成とすることにより、大径の第１押圧部により比較的弱い刺激の押圧力を作用させながら、第１押圧部から突設した小径の第２押圧部により局所的に比較的強い刺激を与えることができ、指圧刺激の強弱バランスが良く、良好な指圧効果を期待できる。また、押圧部材のボルトを軸回り回転操作する際には大径の第１押圧部を手で簡単に操作できる。
【００１３】
また、第２押圧部は、磁石からなることから、指圧効果に加えて磁石の磁力作用による血行促進や凝り解消効果等を期待できる。
【考案を実施するための最良の形態】
【００１４】
以下、添付図面を参照しつつ本考案の指圧器の最良の実施の形態について説明する。本考案の指圧器は、例えば、床に置いて体重等をかけて或いは手で持って押し付けることにより、押圧部に身体の部位をあてながら指圧効果を得る簡易指圧器である。図１ないし図８は、本考案の指圧器の実施形態を示している。図１、図２に示すように、本実施形態において、指圧器１０は、基台１２と、上端に押圧部１４を有する押圧手段１６と、を有している。
【００１５】
本実施形態では、基台１２は、図１、図２、図３に示すように、例えば、上下に平面を有する略四角錘台形状の木製板材からなる。図４、図５に示すように、基台１２には、上下方向に貫通する２個の円形状の穴１８が穿孔されており、後述の押圧手段１６の支持部材２４が嵌着状に内装されて固定される。なお、基台１２の角の部分は怪我防止のために面取りしておくと好適である。
【００１６】
押圧手段１６は、基台１２に支持され、身体にあてられる押圧部１４を上端に有した押圧手段であり、押圧部１４を基台１２に対して上下方向に位置調整可能としている。図２、図４、図５に示すように、押圧手段１６は、上端に押圧部１４を有したボルト２６を含む押圧部材２２と、基台１２の穴１８に固定されかつボルト２６に螺合するネジ溝２８を有した支持部材２４と、を含む。押圧手段１６は、押圧部材２２のボルト２６と支持部材２４のネジ溝２８との螺合連結により押圧部１４の基台１２に対する上下動機構を構成し、基台１２に対して上下方向へ高さ位置を微調整できるとともに所定の高さ位置で保持する。したがって、使用者の体格や部位、又は押圧力の強弱に対応して押圧部１４の高さを調整でき、良好な指圧効果を得ることができる。
【００１７】
本実施形態では、押圧部材２２の押圧部１４は２段構造となっており、金属製のボルト２６の上端に比較的大径の第１押圧部３６が固定され、さらに該第１押圧部３６の略中央位置に小径の第２押圧部３８が上方に突設されている。第１押圧部３６は、例えば、ボルト径よりも大きく設定されており上端部側を丸頭又はドーム形状に形成されている。なお、第１押圧部の形状は本実施形態のものに限らず、例えば、球体状、楕円球状、弾丸形状等、その他任意の形状でもよい。第２押圧部３８は、例えば、上端部を丸くした弾丸形状の磁石部材からなり、下半分を第１押圧部３６の中央に穿穴された穴に嵌着させた状態で接着剤等により固定されている。このように大小径の押圧部を組合わせたことにより、押圧部１４を身体の部位に当てた際に、大径の第１押圧部３６により比較的弱い刺激の押圧力を作用させると同時に、その中心部では小径の第２押圧部により比較的強い刺激を局所的に与えるようになっている。すなわち、２段構造の第１、第２押圧部３６，３８は同時に身体の部位にあてがわれ、第１押圧部３６が低刺激押圧部となり、第２押圧部３８が強刺激押圧部となる。したがって、与える刺激が比較的弱い大径の押圧部のみの構造や、刺激が比較的強い小径の押圧部のみの構造のものと比較して刺激の強弱バランスが良く、良好な指圧効果を期待できる。また、第２押圧部は磁石からなるので磁力作用により、血行促進や凝り解消等を期待できる。
【００１８】
図４、図５に示すように、支持部材２４は、例えば金属製のオニメナットからなり、内側にネジ溝２８が設けられ基台１２の穴１８に嵌着される筒状部３０と、筒状部３０の外周面から一体的に略半径方向に突設された螺旋状突起３２と、を含む。筒状部３０は、強度のある金属製であって下端側に向けて次第に拡径したテーパ状円筒部材からなるナット様の支持部材本体であり、その外径が穴径と略同じ大きさとなっており基台１２の穴１８に埋め込みされる。筒状部３０は、内側に上端から下端側まで貫通した孔の内壁にネジ溝２８が形成されており、該ネジ溝２８に押圧部材２２のボルト２６を螺合連結させて、押圧部材２２を基台１２に対して立設させた状態で支持する。本実施形態では、基台の厚みに対応して比較的長いストロークで押圧部材２２を上下移動させることができ、押圧部１４の高さ調整範囲を比較的広く確保できる。筒状部３０の下端側には、端面視六角形の六角穴３４が形成されている。この六角穴３４に六角レンチを差し込んで支持部材全体を軸回りに回転させることができ、筒状部３０の外面に設けられた螺旋状突起３２を介して該支持部材２４を基台の穴１８に下方側から上方に向けてねじ込み固定される。基台の穴１８に装着された際には筒状部３０の上端は基台１２の上面と略面一に設定される。螺旋状突起３２は、筒状部３０を基台１２の穴１８に内装した際に該穴壁に食い込み状に係止されて該筒状部３０を基台１２に対して安定的に固定させる安定突起部である。螺旋状突起３２は、筒状部と一体的に強度のある金属で形成されている。これにより、螺旋状突起３２により筒状部３０は基台の穴１８から離脱したりガタついたりすることなく強固に固定され、例えば、支持している押圧部材２２に大きな荷重がかかったりボルト軸と交差方向に荷重が作用する場合でも、押圧部材２２がぐらつくことがなく安定的かつ強固な構造を実現できる。
【００１９】
本実施形態に係る指圧器１０を使用する際には、例えば、図６に示すように、複数個の指圧器１０を床上に配置して、首、背中、腰、脚等の身体の部位の凹凸に対応して、押圧部材２２のボルトを支持部材２４に対して上下方向に螺進退させて押圧部１４の基台１２からの高さを調整しておく。押圧部材と支持部材とが螺合連結されているので、押圧部の高さの微調整を簡便に行え良好な指圧効果を得ることができる。使用者Ｈがそれらの指圧器１０の上に仰向けに乗ると、押圧部１４の反力によって身体の部位を押圧刺激して指圧効果を得ることができる。押圧部材２２を支持している支持部材２４は筒状部３０の外面から径方向に突設して基台の穴壁に係止した螺旋状突起３２により安定的かつ強固に固定されているから支持強度が高く、押圧部材２２に使用者の体重で大きな荷重がかかる場合でも、押圧部材をぐらつかせたり、支持部分を破損させたりしにくく、指圧器を長期間効果的に利用することができる。また、図７、図８に示すように机や床の上に設置した指圧器１０の押圧部に腕Ｍや脚Ｌをあてて使用したり、または足の裏で踏んだり、或いは指圧器を手で持って身体の部位に当てて使用することもでき、押圧部の高さを調整しながら様々な態様で指圧効果を得ることができる。
【００２０】
以上説明した本考案の指圧器は、上記した実施形態のみの構成に限定されるものではなく、実用新案登録請求の範囲に記載した本考案の本質を逸脱しない範囲において、任意の改変を行ってもよい。
【産業上の利用可能性】
【００２１】
本考案の指圧器は、例えば、身体の首、肩、背中、腰、腕、手、脚、足等の部位に押し当てて使用される。
【図面の簡単な説明】
【００２２】
【図１】本考案の実施形態に係る指圧器の斜視図である。
【図２】図１の指圧器の正面図である。
【図３】指圧器の平面図である。
【図４】図３のＡ−Ａ線断面図である。
【図５】図１の指圧器の分解斜視図である。
【図６】図１の指圧器の使用状態の説明図である。
【図７】図１の指圧器を腕に使用した際の説明図である。
【図８】図１の指圧器を脚に使用した際の説明図である。
【符号の説明】
【００２３】
１０    指圧器
１２    基台
１４    押圧部
１６    押圧手段
１８    穴
２２    押圧部材
２４    支持部材
２６    ボルト
２８    ネジ溝
３０    筒状部
３２    螺旋状突起
３６    第１押圧部
３８    第２押圧部
【図１】
0003140761.tif 000003
【図２】
0003140761.tif 000004
【図３】
0003140761.tif 000005
【図４】
0003140761.tif 000006
【図５】
0003140761.tif 000007
【図６】
0003140761.tif 000008
【図７】
0003140761.tif 000009
【図８】
0003140761.tif 000010